(57)【要約】ページング・グループＩＤおよびページング・インジケータを利用するシステムおよび方法が、モバイル通信システムにおける移動端末へのＰＤＣＣＨおよびＰＤＳＣＨ送信のために開示されている。ページング・グループＩＤおよびページング・インジケータの使用によって、移動端末の多様なグループが、それらのグループのサブセット含め、少ない復号要件でページされうる。グルーピングのネストが利用され、効果的な使用を達成するためのＰＤＣＣＨフレームのパッキングが記述されている。
2011503970.tif 000002
【特許請求の範囲】
【請求項１】
無線通信システムにおいてページング・メッセージを送信する方法であって、
少なくとも１つのユーザ機器（ＵＥ）に関連付けられたページング・グループのためのページング時を定める特定のサブフレームへ前記少なくとも１つのＵＥをタイム・ハッシングすることと、
前記ページング・グループのページング・グループＩＤを物理ダウンリンク制御チャネル（ＰＤＣＣＨ）に関連付けることと、
物理ダウンリンク共有チャネル（ＰＤＳＣＨ）に関連付けられたリソースを、前記ＰＤＣＣＨにおいて、割り当てることと、
前記ページング中、前記少なくとも１つのＵＥへのページング・メッセージを、前記ＰＤＳＣＨにおいて送信することと
を備える方法。
【請求項２】
前記ページング・グループＩＤを前記ＰＤＣＣＨに関連付けることが、さらに前記ＰＤＣＣＨを前記ページング・グループＩＤを用いてＣＲＣマスキングすることを備える請求項１に記載の方法。
【請求項３】
前記少なくとも１つのＵＥに関連付けられたページング・グループに関連付けられたページング・インジケータ（ＰＩ）を前記ＰＤＣＣＨで送信することをさらに備える請求項１に記載の方法。
【請求項４】
前記ＰＩが前記タイム・ハッシングおよび前記ＣＲＣマスキングによって特定される、請求項３に記載の方法。
【請求項５】
前記少なくとも１つのＵＥに関連付けられたページング・グループに関連付けられたページング・インジケータ（ＰＩ）を、個別のＰＤＣＣＨで送信することをさらに備える請求項３に記載の方法。
【請求項６】
最終ＩＤが特別なページング・グループＩＤと交換されることを除いて、前記ＰＤＣＣＨが従来のＰＤＣＣＨと同じである請求項２に記載の方法。
【請求項７】
無線通信システムにおいて動作可能な装置であって、
少なくとも１つのユーザ機器（ＵＥ）に関連付けられたページング・グループのためのページング時を定める特定のサブフレームへ、前記少なくとも１つのＵＥをタイム・ハッシングする手段と、
前記ページング・グループのページング・グループＩＤを物理ダウンリンク制御チャネル（ＰＤＣＣＨ）に関連付ける手段と、
物理ダウンリンク共有チャネル(ＰＤＳＣＨ)に関連付けられたリソースを、前記ＰＤＣＣＨにおいて、割り当てる手段と、
前記ページング中に、前記少なくとも１つのＵＥのためのページング゛・メッセージを、前記ＰＤＳＣＨにおいて送信する手段と
を備える装置。
【請求項８】
前記少なくとも１つのＵＥに関連付けられたページング・グループに関連付けられたページング・インジケータ（ＰＩ）を前記ＰＤＣＣＨで送信する手段をさらに備える請求項７に記載の装置。
【請求項９】
前記少なくとも１つのＵＥに関連付けられたページング・グループに関連付けられたページング・インジケータ（ＰＩ）を個別のＰＤＣＣＨで送信する手段をさらに備える請求項８に記載の装置。
【請求項１０】
最終ＩＤが特別なページング・グループＩＤと交換されることを除いて、前記ＰＤＤＣＨが従来のＰＤＤＣＨと同じである請求項７に記載の装置。
【請求項１１】
機械によって実行された時、前記機械に
少なくとも１つのユーザ機器（ＵＥ）に関連付けられたページング・グループのためのページング時を定める特定のサブフレームへ、前記少なくとも１つのＵＥをタイム・ハッシングすることと、
前記ページング・グループのページング・グループＩＤを物理ダウンリンク制御チャネル（ＰＤＣＣＨ）に関連付けることと、
物理ダウンリンク共有チャネル（ＰＤＳＣＨ）に関連付けられたリソースを前記ＰＤＣＣＨにおいて割り当てることと、
前記ページング中に前記少なくとも１つのＵＥへのページング・メッセージを、前記ＰＤＳＣＨにおいて送信することと
を含む動作を実行させる命令群を備える機械読取可能媒体。
【請求項１２】
前記少なくとも１つのＵＥに関連付けられたページング・グループに関連付けられたページング・インジケータ（ＰＩ）を前記ＰＤＣＣＨで送信する命令をさらに備える請求項１１に記載の機械読取可能媒体。
【請求項１３】
前記少なくとも１つのＵＥに関連付けられたページング・グループに関連付けられたページング・インジケータ（ＰＩ）を、個別のＰＤＣＣＨで送信する命令をさらに備える請求項１２に記載の機械読取可能媒体。
【請求項１４】
最終ＩＤが特別なページング・グループＩＤと交換されることを除いて、前記ＰＤＤＣＨが従来のＰＤＤＣＨと同じである請求項１１に記載の機械読取可能媒体。
【請求項１５】
無線通信システムにおいて動作可能な装置であって、
少なくとも１つのユーザ機器（ＵＥ）に関連付けられたページング・グループのためのページング時を定める特定のサブフレームへ、前記少なくとも１つのＵＥをタイム・ハッシングし、
前記ページング・グループのページング・グループＩＤを物理ダウンリンク制御チャネル（ＰＤＣＣＨ）に関連付け、
物理ダウンリンク共有チャネル（ＰＤＳＣＨ）に関連付けられたリソースを前記ＰＤＣＣＨにおいて割り当て、
前記ページング中、前記の少なくとも１つのＵＥへのページング・メッセージを前記ＰＤＳＣＨにおいて送信するように構成されたプロセッサと、
データを記憶するために前記プロセッサに結合されたメモリと
を備える装置。
【請求項１６】
前記プロセッサが前記少なくとも１つのＵＥに関連付けられたページング・グループに関連付けられたページング・インジケータ（ＰＩ）を前記ＰＤＣＣＨで送信するようにさらに構成されている、請求項１５に記載の装置。
【請求項１７】
無線通信システムにおいてページング・メッセージを送信する方法であって、
特定のＤＲＸ周期をもつ異なる時間インスタンスにしたがってユーザ機器（ＵＥ）をページング・グループにグループ化することと、
複数のＵＥに関連付けられた特定のページング・グループに関連付けられたページング・メッセージを、単一の物理ダウンリンク共有チャネル（ＰＤＳＣＨ）送信へグループ化することと、
ページング・グループに関連付けられた対応する時間インスタンス中に前記単一のＰＤＳＣＨを送信することを備え、
前記特定のページング・グループのＵＥが、ＵＥに送信されたＰＤＣＣＨにおける共通のページング・グループＩＤに基づいて正しいＰＤＳＣＨを復号する方法。
【請求項１８】
前記ＰＤＣＣＨが、前記共通のページング・グループＩＤを有する前記ＵＥのサブセットに関連付けられたページング・インジケータ（ＰＩ）を含む請求項１７に記載の方法。
【請求項１９】
前記ページング・インジケータ（ＰＩ）を個別のＰＤＣＣＨで送信することをさらに備える請求項１８に記載の方法。
【請求項２０】
最終ＩＤが特別なページング・グループＩＤと交換されることを除いて、前記ＰＤＤＣＨが従来のＰＤＤＣＨと同じである請求項１７に記載の方法。
【発明の詳細な説明】
【関連出願】
【０００１】
本特許出願は２００７年１０月３０日に出願された米国特許仮出願６０／９８３，６３１号に対する優先権を主張する。仮出願６０／９８３，６３１号は本願の譲受人に譲渡され、本願の発明者たちによって出願され、参照により本明細書に組み込まれる。
【技術分野】
【０００２】
この開示は、一般に、無線通信に関し、更に詳しくは、無線端末へのページングの制御に関する。
【背景技術】
【０００３】
無線通信システムは、音声、データといったような、多様な種類の通信コンテンツを供給するために幅広く開発されている。これらのシステムは使用可能なシステム・リソース（例えば、帯域幅及び送信電力）を共有することによって複数のユーザとの通信を支援する事が可能な多元接続システムでありうる。こういった多元接続システムの実例は符号分割多元接続（ＣＤＭＡ）システム、時分割多元接続（ＴＤＭＡ）システム、周波数分割多元接続（ＦＤＭＡ）システム、３ＧＰＰロング・ターム・エボリューション・システム（ＬＴＥ）及び直交周波数分割多元接続（ＯＦＤＭＡ）システムを含む。
【０００４】
一般的に、無線多元接続通信システムは複数の無線端末への通信を同時に支援しうる。各端末はフォワード・リンク及びリバース・リンクによる送信によって１つ又は複数の基地局と通信する。フォワード・リンク（すなわちダウンリンク）は基地局から端末への通信リンクを称し、リバース・リンク（すなわちアップリンク）は端末から基地局への通信リンクを称する。この通信リンクは単一入力単一出力システム、複数入力単一出力システム、及び複数入力複数出力（ＭＩＭＯ）システムによって確立される。
【０００５】
ＭＩＭＯシステムはデータ送信の為に複数(ＮT)個の送信アンテナと複数(ＮR)個の受信アンテナを使用する。ＮT個の送信アンテナとＮR個の受信アンテナによって形成されるＭＩＭＯチャネルはＮＳ≦ｍｉｎ｛ＮＴ，ＮＲ｝である空間チャネルとも称されるＮS個の独立チャネルへと分解されうる。各ＮS個の独立チャネルは１つのディメンションに対応している。複数の送信アンテナと受信アンテナによって作られた追加ディメンションが使用されると、ＭＩＭＯシステムは改良された性能（例えば、より大きいスループット、および、又は、より高い信頼性）を提供しうる。
【０００６】
ＭＩＭＯシステムは時分割二重通信（ＴＤＤ）システムと周波数分割二重通信（ＦＤＤ）システムとを支援する。ＴＤＤシステムにおいて、フォワード・リンク送信とリバース・リンク送信は同じ周波数領域にあるため相反原理によってリバース・リンク・チャネルからフォワード・リンク・チャネルを推定することが可能となる。これによって、複数のアンテナがアクセス・ポイントにおいて使用可能な時、アクセス・ポイントはフォワード・リンク上の送信ビームフォーミング利得を抽出できるようになる。
【０００７】
最新のモバイル・システム、特により新しい世代のシステム、において、ユーザ端末に送られるページング情報を効率的かつ容易に制御する必要性がある。これらのより新しいシステムの複雑さを考慮に入れて、下記の記述はモバイル社会におけるこういった必要性やその他の必要性に取り組む方法及びシステムを提供している。
【発明の概要】
【０００８】
本開示は端末やそのバリエーションに送られるページング・パラメータを管理するシステムおよび方法を対象としている。
【０００９】
この開示の多様な態様の１つにおいて、無線通信システムにおいてページング・メッセージを送信する方法が提供されている。その方法は、少なくとも１つのユーザ機器（ＵＥ）に関連付けられたページング・グループのためのページング時を定める特定のサブフレームへタイム・ハッシングすることと、そのページング・グループのページング・グループＩＤを物理ダウンリンク制御チャネル（ＰＤＣＣＨ）に関連付けることと、物理ダウンリンク共有チャネル（ＰＤＳＣＨ）に関連付けられたリソースを、ＰＤＣＣＨにおいて、割り当てることと、ページング中、少なくとも１つのＵＥへのページング・メッセージをＰＤＳＣＨにおいて送信することとを備える。
【００１０】
この開示の別の態様においては、上記のページング・グループＩＤをＰＤＣＣＨに関連付けることが更に、ＰＤＣＣＨをページング・グループＩＤを用いてＣＲＣマスキングすることを備える方法が提供されている。
【００１１】
この開示の別の態様においては、ＰＤＣＣＨで少なくとも１つのＵＥに関連付けられたページング・グループに関連付けられたページング・インジケータ（ＰＩ）を送信することを更に備える第１の方法の変形例が提供されている。
【００１２】
この開示の別の態様においては、ＰＩはタイム・ハッシングとＣＲＣマスキングによって特定される。
【００１３】
この開示の別の態様においては、少なくとも１つのＵＥに関連付けられたページング・グループに関連付けられたページング・インジケータ（ＰＩ）を個別のＰＤＣＣＨで送信することを更に備える
上記にしたがう方法が提供されている。
【００１４】
この開示の別の態様においては、最終ＩＤが特別なページング・グループＩＤと交換されることを除いて、ＰＤＣＣＨが従来のＰＤＣＣＨと同様である上記にしたがう方法が提供されている。
【００１５】
この開示の別の態様においては、無線通信システムにおいて動作可能な装置が提供される。この装置は少なくとも１つのユーザ機器（ＵＥ）を、少なくとも１つのＵＥに関連付けられたページング・グループのためのページング時を定める特定のサブフレームへタイム・ハッシングする手段と、ページング・グループのページング・グループＩＤを物理ダウンリンク制御チャネル（ＰＤＣＣＨ）に関連付ける手段と、物理ダウンリンク共有チャネル（ＰＤＳＣＨ）に関連付けられたリソースをＰＤＣＣＨにおいて割り当てる手段と、ページング中に少なくとも１つのＵＥへのページング・メッセージをＰＤＳＣＨにおいて送信する手段とを備える。
【００１６】
少なくとも１つのＵＥに関連付けられたページング・グループに関連付けられたページング・インジケータ（ＰＩ）をＰＤＣＣＨで送信する手段を更に備える請求項７に記載の装置。
【００１７】
この開示の別の態様においては、少なくとも１つのＵＥに関連付けられたページング・グループに関連付けられたページング・インジケータ（ＰＩ）を個別のＰＤＣＣＨで送信する手段を更に備える上記にしたがう装置が提供される。
【００１８】
この開示の別の態様においては、最終ＩＤが特別なページング・グループＩＤと交換されることを除いて、ＰＤＣＣＨが従来のＰＤＣＣＨと同様である上記にしたがう装置が提供されている。
【００１９】
この開示の別の態様においては、機械によって実行された際に機械に対して、少なくとも１つのユーザ機器（ＵＥ）を少なくとも１つのＵＥに関連付けられたページング・グループのためのページング時を定める特定のサブフレームへタイム・ハッシングすることと、このページング・グループのページング・グループＩＤを物理ダウンリンク制御チャネル（ＰＤＣＣＨ）に関連付けることと、
物理ダウンリンク共有チャネル（ＰＤＳＣＨ）に関連付けられたリソースをＰＤＣＣＨにおいて割り当てることと、ページング中に少なくとも１つのＵＥへのページング・メッセージをＰＤＳＣＨにおいて送信することとを含む動作を実行させるための命令群を含む機械読取可能媒体が提供されている。
【００２０】
この開示の別の態様においては、少なくとも１つのＵＥに関連付けられたページング・グループに関連付けられたページング・インジケータ（ＰＩ）をＰＤＣＣＨで送信するための命令群を更に備える、上記にしたがう機械読取可能媒体が提供される。
【００２１】
この開示の別の態様においては、少なくとも１つのＵＥに関連付けられたページング・グループに関連付けられたページング・インジケータ（ＰＩ）を個別のＰＤＣＣＨで送信するための命令群を更に備える、上記にしたがう機械読取可能媒体が提供される。
【００２２】
この開示の別の態様においては、最終ＩＤが特別なページング・グループＩＤと交換されることを除いて、ＰＤＣＣＨが従来のＰＤＣＣＨと同様である上記にしたがう機械読取可能媒体が提供されている。
【００２３】
この開示の別の態様においては、無線通信システムにおいて動作可能な装置が提供される。この装置は、少なくとも１つのユーザ機器（ＵＥ）を少なくとも１つのＵＥに関連付けられたページング・グループのためのページング時を定める特定のサブフレームへタイム・ハッシングし、ページング・グループのページング・グループＩＤを物理ダウンリンク制御チャネル（ＰＤＣＣＨ）に関連付け、物理ダウンリンク共有チャネル（ＰＤＳＣＨ）に関連付けられたリソースをＰＤＣＣＨにおいて割り当て、ページング中、少なくとも１つのＵＥへのページング・メッセージをＰＤＳＣＨにおいて送信するように構成されたプロセッサと、データを記憶するためにそのプロセッサに結合されたメモリとを備える。
【００２４】
この開示の別の態様においては、そのプロセッサがさらに、少なくとも１つのＵＥに関連付けられたページング・グループに関連付けられたページング・インジケータ（ＰＩ）をＰＤＣＣＨで送信するように構成されている上記にしたがう装置が提供される。
【００２５】
この開示の別の態様においては、無線通信システムにおいてページング・メッセージを送信する方法が提供されている。この方法は、特定のＤＲＸ周期をもつ異なる時間インスタンスにしたがってユーザ機器（ＵＥ）をページング・グループにグループ化することと、複数のＵＥに関連付けられた特定のページング・グループに関連付けられたページング・メッセージを単一の物理ダウンリンク共有チャネル（ＰＤＳＣＨ）送信へグループ化することと、単一のＰＤＳＣＨをページング・グループに関連付けられた対応する時間インスタンス中に送信することとを備えている。ここで、特定のページング・グループのＵＥが、ＵＥに送信されたＰＤＣＣＨにおける共通のページング・グループＩＤに基づいて正しいＰＤＳＣＨを復号する。
【００２６】
この開示の別の態様においては、ＰＤＣＣＨが、共通のページング・グループＩＤを有するＵＥのサブセットに関連付けられたページング・インジケータ（ＰＩ）を含む、上記の方法が提供されている。
【００２７】
この開示の別の態様においては、ページング・インジケータ（ＰＩ）を個別のＰＤＣＣＨで送信することをさらに備える上記の方法が提供されている。
【００２８】
この開示の別の態様においては、最終ＩＤが特別なページング・グループＩＤと交換されることを除いて、ＰＤＤＣＨが従来のＰＤＤＣＨと同様である上記の方法が提供されている。
【図面の簡単な説明】
【００２９】
【図１】図１は実施形態にしたがう多元接続無線通信システムを示している。
【図２】図２は１つの実施形態にしたがう通信システムのブロック図である。
【図３】図３は１つの実施形態にしたがう、ダウンリンク・論理チャネル、ダウンリンク伝送チャネル、ダウンリンク物理チャネルのための典型的なチャネル・マッピング配置を示している。
【図４Ａ】図４Ａはダウンリンク・サブフレームにおけるＰＤＣＣＨとＰＤＳＣＨとの配置のサンプルの実例である。
【図４Ｂ】図４Ｂはダウンリンク・サブフレームにおけるＰＤＣＣＨとＰＤＳＣＨとの配置のサンプルの実例である。
【図５】図５は１つの実施形態にしたがってページング・メッセージの送信を支援するための典型的な制御構成を示すフロー図である。
【図６】図６は１つの実施形態にしたがう典型的なページング・グループ・ネスト構成を示すフロー図である。
【図７Ａ】図７Ａは１つの実施形態にしたがって、ページング・メッセージの送信を支援するダウンリンク・サブフレームにおける典型的な制御構成を示すフロー図である。
【図７Ｂ】図７Ｂは１つの実施形態にしたがって、ページング・メッセージの送信を支援するダウンリンク・サブフレームにおける典型的なサンプルＰＤＣＣＨを示すフロー図である。
【図８Ａ】図８Ａは１つの実施形態にしたがって、ページング・メッセージの送信を支援する典型的な制御構成を示すフロー図である。
【図８Ｂ】図８Ｂは１つの実施形態にしたがって、ページング・メッセージの送信を支援する典型的なサンプルＰＤＤＣＨを示すフロー図である。
【図９Ａ】図９Ａは１つの実施形態にしたがって、ページング・メッセージの送信を支援する別の典型的な制御構成を示すフロー図である。
【図９Ｂ】図９Ｂは１つの実施形態にしたがって、ページング・メッセージの送信を支援する別の典型的なサンプルＰＤＤＣＨを示すフロー図である。
【発明を実施するための形態】
【００３０】
本開示の特徴、性質、利点は図面と併せたとき下記に記される詳細な記述によってより明らかになりうる。
【００３１】
本明細書において述べられる技術は符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリアＦＤＭＡ（ＳＣ−ＦＤＭＡ）ネットワークなどといったような様々な無線通信ネットワークに使用されうる。「ネットワーク」や「システム」といった用語はしばしば置換可能に使用される。ＣＤＭＡネットワークはユニバーサル地上ラジオ接続（ＵＴＲＡ）やｃｄｍａ２０００のようなラジオ技術を実施できる。ＵＴＲＡは広帯域ＣＤＭＡ（Ｗ−ＣＤＭＡ）と低チップ・レート（ＬＣＲ）を含む。ｃｄｍａ２０００はＩＳ−２０００基準、ＩＳ−９５基準、及びIＩＳ−８５６基準を含む。ＴＤＭＡネットワークはグローバル・システム・フォー・モバイル・コッミュニケーション（ＧＳＭ）のようなラジオ技術を実施しうる。ＯＦＤＭＡネットワークはＥｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などといったラジオ技術を実行しうる。ＵＴＲＡ、Ｅ−ＵＴＲＡ、及びＧＳＭは世界移動電気通信システム（ＵＭＴＳ）の一部である。ロング・ターム・エボリューション（ＬＴＥ）はＥ−ＵＴＲＡを使用するＵＭＴＳの最新リリースである。ＵＴＲＡ，Ｅ−ＵＴＲＡ，ＧＳＭ，ＵＭＴＳ，及びＬＴＥは第３世代パートナシップ・プロジェクト（３ＧＰＰ）と命名された団体からの文書において説明される。ｃｄｍａ２０００は第３世代パートナシップ・プロジェクト２(３ＧＰＰ２)と命名された団体からの文書において説明される。これらの多様なラジオ技術と基準は当技術分野において周知である。明確にするために、これらの技術の特定の態様がＬＴＥについて下記に記述されており、ＬＴＥ用語がその下記の記述の大部分において使用されている。
【００３２】
単一キャリア変調と周波数領域等値化を利用する単一キャリア周波数分割多元接続（ＳＣ−ＦＤＭＡ）は公知の技術である。ＳＣ−ＦＤＭＡはＯＦＤＭＡシステムのものと類似の性能と本質的に同じ総合複雑性とを有している。ＳＣ−ＦＤＭＡ信号はその固有の単一キャリア構造のためにより低いピーク対平均電力比（ＰＡＰＲ）を有している。特により低いＰＡＰＲが送信電力効率の点において移動端末に大いに利点を与えるアップリンク通信において、ＳＣ−ＦＤＭＡは多くの注目を集めてきた。これは現在の３ＧＰＰロング・ターム・エボリューション、あるいはＥｖｏｌｖｅｄ  ＵＴＲＡにおけるアップリンク多元接続スキームに対する作業仮説である。
【００３３】
図１を参照すると、１つの実施形態にしたがう多元接続無線通信システムが例示されている。ｅ−ＮｏｄｅＢあるいはｅ−ＮＢとも称されるアクセス・ポイント１００（ＡＰ）は複数のアンテナ・グループを含み、１つは１０４と１０６を含み、別のものは１０８と１１０を含み、そして更に別のものは１１２と１１４を含んでいる。図１においては、２つだけのアンテナが各アンテナ・グループとして示されている。しかし、それより多くのあるいは少ないアンテナが各アンテナ・グループとして利用されうる。ユーザ機器（ＵＥ）とも称されるアクセス端末１１６（ＡＴ）は、アンテナ１１２および１１４と通信している。ここではアンテナ１１２および１１４がフォワード・リンク１２０を介してアクセス端末１１６に情報を送信し、リバース・リンク１１８を介してアクセス端末１１６から情報を受信している。アクセス端末１２２はアンテナ１０６および１０８と通信している。ここではアンテナ１０６および１０８がフォワード・リンク１２６を介してアクセス端末１２２に情報を送信し、リバース・リンク１２４を介してアクセス端末１２２から情報を受信している。ＦＤＤシステムにおいて、通信リンク１１８、１２０、１２４、及び１２６は通信のために異なる周波数を使用できる。例えば、フォワード・リンク１２０はリバース・リンク１１８によって使用されている周波数とは異なる周波数を使用できる。
【００３４】
アンテナの各グループおよび／あるいはそれらが通信し合うよう設計されているエリアはアクセス・ポイントのセクタとしばしば称される。実施形態においてアンテナ・グループはそれぞれアクセス・ポイント１００によってカバーされるエリアのセクタの中のアクセス端末と通信するよう設計されている。
【００３５】
フォワード・リンク１２０および１２６を介した通信においてアクセス・ポイント１００の送信アンテナは、異なるアクセス端末１１６および１２４のためのフォワード・リンクのＳＮ比を改善するためにビームフォーミングを利用する。また、その受信地域の至る所にランダムに散在しているアクセス端末に送信するためにビームフォーミングを使用するアクセス・ポイントによって、１つのアンテナを介して全てのアクセス端末に信号を送るアクセス・ポイントに比べて、近隣セルにおけるアクセス端末に対して少ない干渉しかもたらさない。
【００３６】
アクセス・ポイントは端末と通信するために使用される固定局でありうるし、アクセス・ポイント、ＮｏｄｅＢ、あるいは他の専門用語でも称されうる。アクセス端末はアクセス端末、ユーザ機器（ＵＥ）、無線通信デバイス、端末、アクセス端末、あるいは他の専門用語でも呼ばれうる。
【００３７】
図２はＭＩＭＯシステム２００における送信機システム２１０（アクセス・ポイントとしても知られている）および受信機システム２５０（アクセス端末としても知られている）の、実施形態のブロック図である。送信機システム２１０において、多数のデータ・ストリームのトラヒック・データがデータ・ソース２１２から送信（ＴＸ）データ・プロセッサ２１４へと提供される。
【００３８】
実施形態において、各データ・ストリームは各々の送信アンテナを介して送信される。ＴＸデータ・プロセッサ２１４は符号化されたデータを提供するためにデータ・ストリームについて選択された特定の符号化スキームに基づいて、それぞれのデータ・ストリームのトラヒック・データをフォーマット、符号化、及びインタリーブする。
【００３９】
各データ・ストリームの符号化されたデータはＯＦＤＭ技術を使用してパイロット・データと共に多重化されうる。一般にパイロット・データは周知の方式によって処理されまた受信機システムにおいてチャネル応答を推定するために使われうる既知のデータ・パターンである。各データ・ストリームの多重化されたパイロット・データおよび符号化データは変調シンボルを提供するためにそのデータ・ストリームについて選択された特定の変調スキーマ（例えば、ＢＰＳＫ、ＱＳＰＫ、Ｍ−ＰＳＫ、あるいはＭ−ＱＡＭ）に基づいてその後変調（すなわち、シンボル・マップ）される。各データ・ストリームのデータ・レート、符号化、および変調は、プロセッサ２３０によって実行される命令群によって決定されうる。
【００４０】
すべてのデータ・ストリームの変調シンボルは更にその変調シンボルを（例えば、ＯＦＤＭのために）処理しうるＴＸ  ＭＩＭＯプロセッサ２２０へとその後提供される。それからＴＸ  ＭＩＭＯプロセッサ２２０はＮＴ個の変調シンボルをＮＴ個の送信機（ＴＭＴＲ）２２２ａ乃至２２２ｔへ提供する。特定の実施形態において、ＴＸ  ＭＩＭＯプロセッサ２２０はビームフォーミング重みをデータ・ストリームのシンボルと、シンボルが送信されてくるアンテナへと適用する。
【００４１】
各送信機２２２は１つあるいはそれ以上のアナログ信号を提供するための各シンボル・ストリームを受信および処理し、さらにＭＩＭＯチャネルを介した送信に適する変調シンボルを提供するために更にそのアナログ信号を調整（例えば、増幅、フィルタ、およびアップコンバート）する。その後送信機２２２ａ乃至２２２ｔからのＮＴ個の変調信号はそれぞれＮＴ個のアンテナ２２４ａ乃至２２４ｔそれぞれから送信される。
【００４２】
受信機システム２５０において、送信された変調信号はＮＲ個のアンテナ２５２ａ乃至２５２ｒによって受信され、各２５２アンテナの受信信号は各受信機（ＲＣＶＲ）２５４ａ乃至２５４ｒへと提供される。各受信機２５４は各受信信号を調整（例えば、フィルタ、増幅、およびダウンコンバート）し、サンプルを提供するためにその調整された信号をディジタル化し、更に対応する“受信”シンボル・ストリームを提供するためにそのサンプルを処理する。
【００４３】
ＲＸデータ・プロセッサ２６０はそれからＮＴ個の“検出”されたシンボル・ストリームを提供するために特定の受信処理技術に基づいて、ＮＲ個の受信機２５４からのＮＲ個の受信シンボル・ストリームを受信および処理する。ＲＸデータ・プロセッサ２６０はその後、データ・ストリームのトラヒック・データを復元するために、検出された各シンボル・ストリームを復調、ディインターリーブ、及び符号化する。ＲＸデータ・プロセッサ２６０による処理は送信機システム２１０においてＴＸ  ＭＩＭＯプロセッサ２２０及びＴＸデータ・プロセッサ２１４によって行われる処理と相補的である。
【００４４】
プロセッサ２７０はどの事前符号化行列を使用するかを定期的に決定する。（後述）プロセッサ２７０は行列インデックス部およびランク値部を備えるリバース・リンク・メッセージを定式化する。
【００４５】
リバース・リンク・メッセージは通信リンクおよび／あるいは受信データ・ストリームに関する様々なタイプの情報を備える。リバース・リンク・メッセージはその後データ・ソース２３６から多くのデータ・ストリームのトラヒック・データも受信するＴＸデータ・プロセッサ２３８によって処理され、変調器２８０によって変調され、送信機２５４ａ乃至２５４ｒによって調整され、送信機システム２１０へ送り返される。
【００４６】
送信機システム２１０において、受信機システム２５０からの変調信号は、受信機システム２５０によって送信されたリバース・リンク・メッセージを抽出するために、アンテナ２２４によって受信され、受信機２２２によって調整され、復調機２４０によって復調され、ＲＸデータ・プロセッサ２４２によって処理される。プロセッサ２３０はその後、ビームフォーミング重みを判定するためにどの事前符号化行列を使用するかを決定し、その後抽出されたメッセージを処理する。
【００４７】
態様において、論理チャネルは制御チャネルおよびトラヒック・チャネルに分類される。論理制御チャネルは以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１つあるいはいくつかのＭＴＣＨのための制御情報と、マルチメディア・ブロードキャストおよびマルチキャスト・サービス（ＭＢＭＳ）スケジューリングを送信するために使用されるポイント・ツー・マルチポイントＤＬチャネルであるマルチキャスト制御チャネル（ＭＣＣＨ）。一般的に、ＲＲＣ接続の確立後は、このチャネルはＭＢＭＳ（注：旧ＭＣＣＨ＋ＭＳＣＨ）を受信するＵＥによってのみ使用される。専用制御チャネル（ＤＣＣＨ）は専用制御情報を送信するポイント・ツー・ポイント双方向チャネルであり、ＲＲＣ接続を有するＵＥによって使用される。態様において、論理トラヒック・チャネルはユーザ情報の転送のための、１つのＵＥのために設けられた、ポイント・ツー・ポイント双方向チャネルである専用トラヒック・チャネル（ＤＴＣＨ）を備える。また、トラヒック・データを送信するためのポイント・ツー・マルチポイントＤＬチャネルのためのマルチキャスト・トラヒック・チャネル（ＭＴＣＨ）。
【００４８】
態様において、伝送チャネルはＤＬおよびＵＬに分類される。ＤＬ伝送チャネルはブロードキャスト・チャネル（ＢＣＨ）、ダウンリンク共有データ・チャネル（ＤＬ−ＳＤＣＨ）、およびページング・チャネル（ＰＣＨ）を備える。ＵＥ節電の支援のためのＰＣＨ（ＤＲＸ回路はネットワークによってＵＥに示される）は、全セルを通してブロードキャストされ、他の制御／トラヒック・チャネルのために使用されうるＰＨＹリソースにマップされる。ＵＬ伝送チャネルはランダム・アクセス・チャネル（ＲＡＣＨ）、リクエスト・チャネル（ＲＥＱＣＨ）、アップリンク共有データ・チャネル（ＵＬ−ＳＤＣＨ）及び複数のＰＨＹチャネルを備える。ＰＨＹチャネルはＤＬチャネルとＵＬチャネルのセットを備える。
【００４９】
ＤＬ  ＰＨＹチャネルは、  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）を備える。
【００５０】
ＵＬ  ＰＨＹチャネルは、  
物理ランダム接続チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有リクエスト・チャネル（ＳＲＥＱＣＨ）  
ＵＬ物理共有データ・チャネル（ＵＬ−ＰＳＤＣＨ）  
ブロードバンド・パイロット・チャネル（ＢＰＩＣＨ）を備える。
【００５１】
態様において、１つのキャリア波形の低ＰＡＲ（いかなる場合も、チャネルは周波数において連続的あるいは均一間隔で配置されている）特性を保存するチャネル構造が提供される。
【００５２】
本文書の目的のために、以下の略語が使用される。
【００５３】
ＡＭ          アクノレッジ・モード  
ＡＭＤ        アクノレッジ・モード・データ  
ＡＲＱ        自動反復要求  
ＢＣＣＨ      ブロードキャスト制御チャネル  
ＢＣＨ        ブロードキャスト・チャネル  
Ｃ−          制御−  
ＣＣＣＨ      共通制御チャネル  
ＣＣＨ        制御チャネル  
ＣＣＴｒＣＨ  符号化混合伝送チャネル  
ＣＰ          サイクリック・プレフィクス  
ＣＲＣ        巡回冗長検査  
ＣＴＣＨ      共通トラヒック・チャネル  
ＤＣＣＨ      専用制御チャネル  
ＤＣＨ        専用チャネル  
ＤＬ          ダウンリンク  
ＤＳＣＨ      ダウンリンク共有チャネル  
ＤＴＣＨ      専用トラヒック・チャネル  
ＦＡＣＨ      フォワード・リンク接続チャネル  
ＦＤＤ        周波数分割デュプレックス  
Ｌ１          レイヤ１（物理レイヤ）  
Ｌ２          レイヤ２（データ・リンク・レイヤ）  
Ｌ３          レイヤ３（ネットワーク・レイヤ）  
ＬＩ          長さインジケータ  
ＬＳＢ        最下位ビット  
ＭＡＣ        媒体接続制御  
ＭＢＭＳ      マルチメディア・ブロードキャスト・マルチキャスト・サービス  
ＭＣＣＨ      ＭＢＭＳポイント・ツー・マルチポイント制御チャネル  
ＭＲＷ        ムーブ受信窓  
ＭＳＢ        最上位ビット  
ＭＳＣＨ      ＭＢＭＳポイント・ツー・マルチポイント・スケジューリング・チャネル  
ＭＴＣＨ      ＭＢＭＳポイント・ツー・マルチポイント・トラヒック・チャネル  
ＰＣＣＨ      ページング制御チャネル  
ＰＣＨ        ページング・チャネル  
ＰＤＵ        プロトコル・データ・ユニット  
ＰＨＹ        物理レイヤ  
ＰｈｙＣＨ    物理チャネル  
ＲＡＣＨ      ランダム接続チャネル  
ＲＬＣ        ラジオ・リンク制御  
ＲＲＣ        ラジオ・リソース制御  
ＳＡＰ        サービス接続ポイント  
ＳＤＵ        サービス・データ・ユニット  
ＳＨＣＣＨ    共有チャネル制御チャネル  
ＳＮ          シーケンス番号  
ＳＵＦＩ      スーパ・フィールド  
ＴＣＨ        トラヒック・チャネル  
ＴＤＤ        時分割デュプレックス  
ＴＦＩ        伝送フォーマット・インジケータ  
ＴＭ          透過モード  
ＴＭＤ        透過モード・データ  
ＴＴＩ        送信時間インターバル  
Ｕ−          ユーザ  
ＵＥ          ユーザ機器  
ＵＬ          アップリンク  
ＵＭ          非アクノレッジ・モード  
ＵＭＤ        非アクノレッジ・モード・データ  
ＵＭＴＳ      世界移動電気通信システム  
ＵＴＲＡ      ＵＭＴＳ地上ラジオ接続  
ＵＴＲＡＮ    ＵＭＴＳ地上ラジオ接続ネットワーク  
ＭＢＳＦＮ    マルチキャスト・ブロードキャスト単一周波数ネットワーク  
ＭＣＥ        ＭＢＭＳ  コーディネーティング・エンティティ  
ＭＣＨ        マルチキャスト・チャネル  
ＤＬ−ＳＣＨ  ダウンリンク共有チャネル  
ＭＳＣＨ      ＭＢＭＳ制御チャネル  
ＰＤＣＣＨ    物理ダウンリンク制御チャネル  
ＰＤＳＣＨ    物理ダウンリンク共有チャネル
図３を参照すると、ダウンリンク論理チャネル、ダウンリンク伝送チャネル、およびダウンリンク物理チャネルのチャネル・マッピング配置が示されている。例えば、Ｅ−ＵＴＲＡは図３に示されているチャネル・マッピング配置を使用している。図３に示されているように、ページング伝送チャネル（ＰＣＨ）３０２は物理ダウンリンク共有チャネル（ＰＤＳＣＨ）３０４にマップされている。例えば、ＰＤＳＣＨ  ３０４は１ミリ秒（１ｍｓ）の送信時間インターバル（ＴＴＩ）内に組み込まれうる。
【００５４】
例えば、ＬＴＥベースのシステムを使用する場合、端末への基地局によるページングはダウンリンクＰＨＹチャネル経由で達成される。これはＰＤＣＣＨ３０８−制御チャネルおよびＰＤＳＣＨ３０４−データ・チャネルから成るだろう。ＰＤＣＣＨ３０８は１ｍｓＴＴＩ（サブフレーム）におけるプリアンブルとして作用し、実際のページング・メッセージあるいはデータ／情報を伝える次に続くＰＤＳＣＨ３０４を参照する。ＰＤＣＣＨ３０８はダウンリンク・ストリームにおけるＰＤＳＣＨ３０４の位置と、そのフォーマット、変調、符号化などを受信ＵＥへ提供する。よって、ＰＤＣＣＨ３０８を復号したあと、ＵＥはサブフレームにおいて対応するページング情報がどこに位置しているか、そのＵＥがページの受信者として特定されるかを判定することができる。
【００５５】
図３のチャネル・マッピング配置を見ると、多様な典型的な実施形態の１つにおいて、ページング・グループＩＤは共通のページング・グループＩＤを有するＵＥのグループにページするためにＬ１／Ｌ２搬送チャネルで使用されうる。多数のＵＥは複数のＵＥに警告するための便利なスキームを提供するページング・グループ内で明確にされる。正確なＵＥ  ＩＤがダウンリンク共有チャネル（ＤＬ−ＳＣＨ）３０６で提供されるところにおいて、複数のＵＥはＤＬ−ＳＣＨ３０６で送られうる。このアプローチのバリエーションや変形例も、以下でさらに述べられているように、ページング・インジケータ（ＰＩ）の使用によって、可能である。このように、タグ付割当を持たない個々のＵＥが、ＰＤＤＣＨおよび／あるいはＰＤＳＣＨの全体を復号する必要性を取り除いた方法およびシステムが説明されている。大きなページング・グループおよび／あるいはページング・グループの部分群において、こういったアプローチの利点は容易に明らかになるだろう。ページング・グループＩＤおよびページング・インジケータの使用とそれらの実施はさらに下記に述べられる。
【００５６】
図４Ａはダウンリンク・サブフレームにおけるＰＤＣＣＨおよびＰＤＳＣＨの配置のサンプルを例示している。ＰＤＣＣＨ４１０は対応するタイム・スロット４３０あるいはストリップにおける個々のＯＦＤＭシンボル／トーン４２０の組み合わせから成る。例示の目的として、４つの考えうるＰＤＣＣＨすなわちＰＤＣＣＨ１、ＰＤＣＣＨ２、ＰＤＣＣＨ３、およびＰＤＣＣＨ４が各タイム・スロット４３０内に示されている。もちろん、実施次第で、それより多くのあるいはそれより少ないＰＤＣＣＨが使用されうる。
【００５７】
複数のシンボル／トーン４２０が所与のＰＤＣＣＨ４１０のために使用されうる。シンボル／トーン４２０は一般的にリソース・エレメント（ＲＥ）と称される。よって、いくつかのＲＥ（４２０）がＰＤＣＣＨ４１０を示すために使用されうる。ＲＥ（４２０）の様々な組み合わせは、ページングＩＤ情報および対応するＰＤＳＣＨ  ４４０の位置などを提供する。例えば、ＰＤＣＣＨ１  ４１１はページングＩＤ１に関連付けられた所与のＵＥグループを特定するページングＩＤ１と称されうるし、また、ＰＤＳＣＨ４４０データ・ストリームにおいて発見されるＰＤＳＣＨ１データの位置と共にＵＥグループを提供しうる。よって、ＰＤＣＣＨ４１０において発見されるＩＤによってこのグループが特定されるかを判定するためにＵＥはサブフレームのプリアンブルにおける複数のＰＤＣＣＨ４１０を復号しなければならない。
【００５８】
図４ＢはＰＤＳＣＨに対するＰＤＣＣＨ情報のマッピングを例示するブロック図４５０である。ＰＤＣＣＨ１  ４６０は標準的なリソース割当（ＲＡ）ブロック４５２、変調および符号化（ＭＣＳ）ブロック４５４、およびページされたＵＥのＩＤタグ／番号４５６から成ると、例示されている。ＰＤＣＣＨ１  ４６０から抽出されたＵＥのＩＤタグ／番号４５６から、ＵＥは送られるページング情報を判定するために適切なＰＤＳＣＨ１  ４７０データ・ストリームをその後発見することができる。図４Ｂにおいて明らかなように、決定されたＩＤタグ／番号に基づいて、異なるＰＤＣＣＨは異なるＰＤＳＣＨに対してマップする。上記されているように、ＵＥはそのグループＩＤがページされているかを判定するために複数のＰＤＣＣＨを復号しなければならない。もちろん、このアプローチは強引なアプローチであるので、ページング・グループＩＤおよびページング・インジケータ（ＰＩ）を使用したアプローチのより洗練されたセットが以下に記述される。
【００５９】
図５はページング・インジケータ（ＰＩ）を利用するページング・メッセージの送信を支援するための典型的な制御構成を示すブロック図５００を提供している。図５において、物理ダウンリンク制御チャネル（ＰＤＣＣＨ）５０２はページング・メッセージを支援するＰＤＳＣＨ５０４リソース割当を提供する。１つの態様によれば、ＰＤＣＣＨ５０２のフォーマットはページング・インジケータ（ＰＩ）、付随するＰＤＳＣＨのためのリソース割当、およびその他のフィールドを含む。各ＰＩは、このＰＤＣＣＨ送信に関連付けられたページング・グループにおける１つあるいはいくつかのＵＥに関連付けられ、例えば、タイム・ハッシングおよびＣＲＣのマスキングによって特定される。１つの態様によれば、規則的なＤＬ割当を伴うＰＤＣＣＨ５０２フォーマットにおけるその他全てのフィールドは固定値に設定されるか、ＰＤＳＣＨを介するページング・メッセージの送信に適切でない（適用不可能）かのどちらかである。例えば、伝送フォーマットは適切な仕様における設定として固定されうるし、ホッピング・フラグは適切な仕様における設定、すなわちＰＤＣＣＨにおける１ビットに固定されうるし、ＨＡＲＱ処理ＩＤが適用不可能でありうるし、ＴｒＢｌｋ  ＩＤが適用不可能でありうるし、再送シーケンス番号が適用不可能でありうるし、ＴＰＣコマンドが適用不可能でありうるし、事前符号化行列が適用不可能でありうる。ＰＤＣＣＨ  ５０２のＣＲＣはページング・グループＩＤを用いてマスキングされうる。などといったように、その他様々である。図５で示されているように、ＰＤＳＣＨ５０４はＰＤＣＣＨ  ５０２におけるＰＩによって示される全てのＵＥのためのページング・メッセージを伝える。上記の説明に基づいて、ＵＥに対するページング通知の効率を更に向上するためにＰＤＤＣＨのフォーマットに対する様々な変形例が得られうる。
【００６０】
図６は１つの実施形態にしたがう典型的なページング・グループ・ネスト構成を示すフロー図を例示している。図６はＵＥグルーピングの３つのレベルを示している。第１レベル・グルーピング６０２は特定のサブフレームへのタイム・ハッシングを含む。これらのサブフレームはこのページング・グループのための「ページング時」に対応している。すなわち、このタイム・ハッシング構成に基づいて、ＵＥのグループは、特定のサブフレームのみを「見る」ように構成されうる。第２レベル・グルーピング６０４はページ・メッセージ−ＰＤＳＣＨに先行するＰＤＣＣＨにおけるページング・グループＩＤを提供することを含む。第３レベル・グルーピング６０６はＰＤＣＣＨにおけるページング・サブグループ内に（例えば、ページング・グループＩＤによって）ページング・インジケータ（ＰＩ）を提供することを含む。このネスト構成の結果として、同一のサブフレームと同一のページ・グループＩＤにハッシングされた全てのＵＥが、関連付けられたＰＤＳＣＨを復号する必要はないだろう。この構成の利点は以下で明らかになるだろう。
【００６１】
図５と図６を組み合わせて上述された構成にしたがって、単一のＰＤＣＣＨがページング送信に関連付けられる。ＰＤＳＣＨのページング・メッセージのためのリソースは動的に割り当てられるため、スケジューラ・フレキシビリティが提供され、（例えば複数のＵＥのための）可変数のページング・メッセージを多重化する機能が提供される。要するに、上記で述べられたＰＤＣＣＨフォーマットはバイナリ（シングル・ビット）・ページング・インジケータあるいはマルチ・ビット・ページング・インジケータ（ＰＩ）と、ページング・グループの全体および／あるいはページング・グループのサブセットのためのページングの効率的な支援を可能にするために関連付けられたＰＤＳＣＨのためのリソース割り当てとを含む。そのＰＩがＰＤＣＣＨ内において設定されている複数のＵＥのためのページング・メッセージを伝えるＰＤＳＣＨの伝送フォーマットは固定され、もって、適切な仕様において規定されうる。
【００６２】
多様な態様にしたがって、特定のＤＲＸ周期をもつ異なる時間インスタンス（あるいは「ページング時」）にしたがって、ＵＥは「ページング・グループ」にグループ化される。別の態様にしたがって、複数のＵＥのためのページング・メッセージは同一のＰＤＳＣＨにグループ化されうる。例えば、ＵＥ  ＩＤはＰＤＳＣＨ送信におけるそのＵＥのためのページ・メッセージの一部として与えられうる。
【００６３】
上記で説明されたアプローチの実例として、第１のＰＤＣＣＨは、サブフレーム・スロットにおける対応するＰＤＣＣＨに対するポインタとして動作するページング・インジケータ（ＰＩ）のリストのみを含むように変形されうる。例えば、（ＰＤＣＣＨの連鎖における“第１”のＰＤＣＣＨである）ＰＤＣＣＨ１は、与えられたページング・インジケータに適切なＰＤＣＣＨを示すページング・インジケータ（ＰＩ１、ＰＩ２、ＰＩ３など）のリストを含みうる。ページング・インジケータ（ＰＩ）はページング・グループのサブセットを特定する（要求された場合には個々のＵＥまで掘り下げる）ために使用されうる。ＰＩの使用によって、ＰＤＣＣＨを復号し、ＰＩによって特定された自身を発見するＵＥは、プリアンブルにおける適切なＰＤＣＣＨに向けられる一方、ＰＩによって特定されないＵＥが（もし存在する場合に、ページング・グループにタグ付けされたとしても）処理を進める必要はないであろう。ポインタ・タイプ・エバリュエータによって明らかなように、ＰＩの他の利用法はこの開示の精神と範囲から逸脱することなく考案されうる。
【００６４】
図７Ａおよび図７Ｂは上記で述べられているように、ページング・メッセージの送信を支援するための典型的な制御構成を示すフロー図７００およびサンプル・フォーマット７５０をそれぞれ例示している。図７Ａにおいて、第１のＰＤＣＣＨ（ＰＤＣＣＨ−１）７０２が第２のＰＤＣＣＨ（ＰＤＣＣＨ−２）７０４と共にページング・メッセージへの制御を提供するために提供されている。ＰＤＣＣＨ−１  ７０２はバイナリ・ページング・インジケータ（ＰＩ）のみを伝えるためにフォーマットされている。各ＰＩはこのＰＤＣＣＨ送信に関連付けられたページング・グループにおける１つあるいはいくつかのＵＥに関連付けられ、例えば、タイム・ハッシングおよびＣＲＣのマスキングによって特定される。加えて、ＰＤＣＣＨ−１  ７０２は、図７Ｂで示されるように、ページング・グループＩＤを用いてＣＲＣマスクされうる。
【００６５】
ＰＤＤＣＨ−１  ７０２からＰＤＣＣＨ−２への固定された関連付けが提供されうる。よって、ＰＤＣＣＨ−１  ７０２の受信から、そのＰＩが設定されている関連付けられたＵＥはどこでＰＤＣＣＨ−２  ７０４が見つかるかを突き止めることができる。例えば、ＰＤＣＣＨ−２  ７０４の時間周波数位置はＰＤＣＣＨ−１  ７０２と同一のサブフレームの中か、あるいは異なるサブフレームの中にありうる。
【００６６】
また、ＰＤＣＣＨ−２  ７０４は単一のコードワード送信のためのＤＬ割当を伴う（適切な仕様においてすでに規定されているＰＤＣＣＨである）“規則的な”ＰＤＣＣＨとしてフォーマットすることがありうる。よって、ＰＤＣＣＨ−２  ７０４は、ＰＤＳＣＨ  ７０６のリソース割当、伝送フォーマット・インジケーション、ホッピング・フラグ、およびその他のデータのような情報を含むであろう。加えて、ＰＤＣＣＨ−２  ７０４はＰＤＣＣＨ−１  ７０２の場合と同様のページング・グループＩＤを用いてＣＲＣマスクされうる。ＰＤＣＣＨ−２  ７０４からＰＤＳＣＨ  ７０６への関連付けは、適切な仕様においてすでに規定されている関連付けにしたがって提供されうる。この構成を用いて、ＰＤＳＣＨ７０６はＰＤＣＣＨ−１  ７０２におけるＰＩによって示された、すべてのＵＥのためのページング・メッセージを伝え、ＰＤＳＣＨ７０６はＰＤＣＣＨ−２  ７０４によって示されたフォーマットにおいて割り当てられたリソースにしたがって送信される。図７Ａおよび図７Ｂにおける制御構成は上記で図６と組み合わせて説明されているように、ＵＥグルーピングの複数のレベルを提供する。  
ここで図８Ａおよび図８Ｂを参照すると、ページング・メッセージの効率的な送信を支援するための、別の典型的な制御構成を示すフロー図８００およびサンプル・フォーマット８５０がそれぞれ示されている。この実施形態において、ＰＤＣＣＨ−３  ８０２は、図８Ｂにおいて例示されているようなリソース割当、すなわちページング・インジケータ（ＰＩ）およびＵＥのためのページング・グループＩＤによって形成されている。ＰＤＣＣＨ−３  ８０２は、図７Ａおよび図７ＢのＰＤＤＣＨ−１  ７０２の実施形態の特徴と標準ＰＤＣＣＨの特徴のいくつかを組み合わせた“ハイブリッド”ＰＤＣＣＨとみなされうる。このハイブリッド・アプローチは追加ＰＤＣＣＨの使用を要求しないこという利点を持つ。典型的な方法は、ＰＩの使用によって、ＵＥのためのＰＤＣＣＨ復号の数を減らしながら、関連付けられたＰＤＳＣＨ８０６を見つけるために、関連するＰＤＳＣＨ８０６へ十分な情報を提供する。よって、いわゆる、両方における長所が図８Ａおよび図８Ｂによって説明されている実施形態において描かれている。
【００６７】
本開示におけるＰＤＤＣＨ記述子の終わりに番号（例えば、１、２、および３）を書き添える命名法（例えば、ＰＤＤＣＨ−１、ＰＤＤＣＨ−２、ＰＤＤＣＨ−３）は、単にこれらの説明の文脈において、ＰＤＤＣＨを区別するために使用されているということに留意すべきである。図８Ａおよび図８ＢのＰＤＤＣＨ−３は先行する図のＰＤＤＣＨ１あるいはＰＰＤＣＨ−２と異なる。一方で、図９Ａおよび図９Ｂ（後述）のＰＤＤＣＨ−２は付随する記述によって明らかであるように、図７Ａおよび図７ＢのＰＤＤＣＨ−２とは異なる。
【００６８】
次に図９Ａおよび図９Ｂを参照すると、ページング・メッセージの効果的な送信を支援するための、別の典型的な制御構成を示すフロー図９００およびサンプル・フォーマット９５０がそれぞれ示されている。図９Ａによって示されている制御構成はＰＤＣＣＨ−２  ９０２を提供する。ＰＤＣＣＨ−２  ９０２は適切な仕様において規定されるようなＰＤＣＣＨであり、単一のコードワード送信のためのＤＬ割当を伴う。よって、ＰＤＣＣＨ−２  ９０２はＰＤＳＣＨ９０４のリソース割当、伝送フォーマット・インジケーション、ホッピング・データ、および他のデータなどの情報を含むだろう。加えて、ＰＤＣＣＨ−２  ９０２はページング・グループＩＤを用いてＣＲＣマスクされる。上記の構成は図９Ｂにおいて実証されている。ＰＤＣＣＨ−２  ９０２からＰＤＳＣＨ  ９０４への関連付けは、適切な仕様においてすでに規定されている関連付けにしたがって提供されうる。
【００６９】
図９Ａおよび図９Ｂを用いて続けると、ＰＤＳＣＨ９０４はＰＤＣＣＨ−２  ９０２に関連付けられたページング・グループＩＤにおける全てのＵＥのためのページング・メッセージを伝える。ＰＤＳＣＨ９０４はＰＤＣＣＨ−２  ９０２によって示されたフォーマットおよび割り当てられたリソースにしたがって送信される。この特定の構成において、ＵＥグルーピングの２つのレベルは図６のブロック６０２と６０４に対応して提供される。一方図９Ａ乃および９Ｂの構成においては、（図６のブロック６０６とは対照的に）ＰＤＣＣＨ内でＰＩは提供されない。よって、ページング・グループにおける全てのＵＥはそれらがサブフレーム内でページされる否かを調べるためにＰＤＳＣＨ  ９０４を復調する必要があるであろう。
【００７０】
上記の例に基づいて、ＰＤＤＣＨを変更するための複数のスキームが実証されている。これが、特にサブフレーム・プリアンブルにおけるＰＤＤＣＨを復号することと、ＵＥをページング・グループおよびそのサブセットに関連付けることとに関して、従来型のページング送信に対する改良を提供する。
【００７１】
開示されている処理におけるステップの特定の順序あるいは階層は典型的なアプローチの例であると理解される。設計選択に基づいて、この方法におけるステップの特定の順序あるいは階層は、本開示の範囲内にありながら、再編成されうると理解される。付随する方法請求項はサンプル順序における多様なステップの要素を表しており、述べられた特定の順序あるいは階層に限定されるわけではない。
【００７２】
当業者は情報および信号が多様な異なるテクノロジーとテクニックのいずれかを使用して表現されうるということを理解するだろう。例えば、上記の説明を通して参照されうるデータ、命令群、コマンド、情報、信号、ビット、シンボル、およびチップは、電圧、電流、電磁波、磁場あるいは磁気粒子、光学場あるいは光学粒子、あるいはそれらのいずれかの組み合わせによって表現されうる。
【００７３】
当業者はさらに本明細書で開示された実施形態に関連付けて説明された多様な実例的な論理ブロック、モジュール、回路、およびアルゴリズム・ステップは、電子ハードウェア、コンピュータ・ソフトウェア、あるいはこれら両方の組み合わせによって実現されうるということを正しく理解するだろう。このハードウェアおよびソフトウェアの互換性を明確に例示するために、多様な実例的な構成要素、ブロック、モジュール、回路、およびステップが、一般にそれらの機能の観点から上記で説明されている。そのような機能がハードウェアとして、あるいはソフトウェアとして実現されるかどうかは、システム全体に課せられている特定のアプリケーションおよび設計の制約に依存する。当業者は、各特定のアプリケーションのために方式を変化させることによって、述べられた機能性を実施しうるがこういった実施判断は本開示の範囲からの逸脱をまねくものと解釈されるべきではない。
【００７４】
本明細書で開示された実施形態に関連付けて説明された多様な実例的な論理ブロック、モジュール、および回路は汎用プロセッサ、ディジタル信号プロセッサ（ＤＳＰ）、アプリケーション特定集積回路（ＡＳＩＣ）、フィールド・プログラマブル・ゲート・アレイ（ＦＰＧＡ）あるいは他のプログラマブル・ロジック・デバイス、離散ゲートもしくはトランジスタ・ロジック、離散ハードウェア構成要素、あるいは本明細書で説明された機能を実行するために設計されたそれらの任意の組み合わせによって実施あるいは実行されうる。汎用プロセッサはマイクロプロセッサでありうるが、別の方法としては、プロセッサは従来型の任意のプロセッサ、コントローラ、マイクロコントローラ、あるいはステート・マシンでありうる。プロセッサは例えば、ＤＳＰおよびマイクロプロセッサの組み合わせ、複数のマイクロ・プロセッサ、ＤＳＰコアと連携した１つあるいは複数のマイクロプロセッサ、あるいはその他の任意の構成のようなコンピューティング・デバイスとしても実施されうる。
【００７５】
本明細書において開示された実施形態に関連付けて説明されたアルゴリズムあるいは方法のステップは、直接的にハードウェアにおいて、プロセッサによって実行されるソフトウェア・モジュールにおいて、あるいはこの２つの組み合わせにおいて実施されうる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野において周知のその他任意の形態の記憶媒体に存在しうる。典型的な記憶媒体は記憶媒体からの情報を読み取り、記憶媒体に情報を書き込むことができるプロセッサのようなプロセッサと結合される。別の方法としては、記憶媒体はプロセッサに不可欠でありうる。プロセッサおよび記憶媒体はＡＳＩＣ内に存在しうる。ＡＳＩＣはユーザ端末内に存在しうる。別の選択肢として、プロセッサおよび記憶媒体は離散的な構成要素としてユーザ端末内に存在しうる。
【００７６】
開示された実施形態の上記記述は、当業者に対して本開示を製造あるいは使用することを可能にするために提供される。これらの実施形態に対する多様な変形例は当業者にとって容易に明らかになるであろう。また本明細書で規定された一般的原理は、この開示の精神あるいは範囲から逸脱することなく他の実施形態に適用されうる。よって、本開示は本明細書で示される実施形態に限定されるよう意図されたものではなく、本明細書で開示された原理および新規の特徴と矛盾しない最大範囲であると認められるべきである。
【図１】
2011503970.tif 000003
【図２】
2011503970.tif 000004
【図３】
2011503970.tif 000005
【図４Ａ】
2011503970.tif 000006
【図４Ｂ】
2011503970.tif 000007
【図５】
2011503970.tif 000008
【図６】
2011503970.tif 000009
【図７Ａ】
2011503970.tif 000010
【図７Ｂ】
2011503970.tif 000011
【図８Ａ】
2011503970.tif 000012
【図８Ｂ】
2011503970.tif 000013
【図９Ａ】
2011503970.tif 000014
【図９Ｂ】
2011503970.tif 000015
【国際調査報告】
2011503970.tif 000016
2011503970.tif 000017
2011503970.tif 000018
2011503970.tif 000019